(57)【要約】【課題】簡易な構造で十分なスイッチの切り替えタイミングを確保でき、安価且つ小型化が可能な取出し機構付きカードコネクタの提供。【解決手段】操作用ロッド２０をコネクタ幅方向外側に向けて移動可能にするとともに操作用ロッド２０をコネクタ幅方向外側に向けて動作させる動作手段２９を備え、挿抜検知手段は、カード状体１の挿抜方向の移動に連動して挿抜方向用操作側スイッチコンタクト４２が挿抜方向用被操作側スイッチコンタクト４３に対し接触又は離反する挿抜方向用検知スイッチ４０と、操作用ロッド２０のコネクタ幅方向外側部に配置された幅方向用検知スイッチ４１とを備え、幅方向用検知スイッチ４１は、操作用ロッド２０のコネクタ幅方向外側に向けた移動により押されて幅方向用操作側スイッチコンタクト５５が幅方向用被操作側スイッチコンタクト５６に対し接触又は離反するようにした。【選択図】図６
2012234669.tif 000002
【特許請求の範囲】
【請求項１】
カード状体が挿入されるカード状体挿入部が前面に開口されたハウジングと、前記カード状体挿入部の側部に前記カード状体の挿抜方向に向けて配置され且つ該挿抜方向に移動可能な操作用ロッドと、該操作用ロッドの前記挿抜方向の移動に連動して前記カード状体を抜け出し方向に押し出すカード取出し手段とを備えるとともに、
操作側スイッチコンタクト及び被操作側スイッチコンタクトからなる検知スイッチを有し、前記操作側スイッチコンタクトと被操作側スイッチコンタクトとが互いに接触又は離反することにより前記カード状体の挿抜状態を検知する挿抜検知手段を備えた取出し機構付きカードコネクタにおいて、
前記操作用ロッドをコネクタ幅方向に向けて移動可能にするとともに前記操作用ロッドを前記コネクタ幅方向外側に向けて動作させる動作手段を備え、
前記挿抜検知手段は、前記カード状体の挿抜方向の移動に連動して挿抜方向用操作側スイッチコンタクトが挿抜方向用被操作側スイッチコンタクトに対し接触又は離反する挿抜方向用検知スイッチと、前記操作用ロッドのコネクタ幅方向外側部に配置された幅方向用検知スイッチとを備え、
前記幅方向用検知スイッチは、前記操作用ロッドのコネクタ幅方向外側に向けた移動により押されて幅方向用操作側スイッチコンタクトが幅方向用被操作側スイッチコンタクトに対し接触又は離反するようにしたことを特徴としてなる取出し機構付きカードコネクタ。
【請求項２】
前記操作用ロッドは、剛体であって、且つコネクタ幅方向内側に突出した係合突部を有し、該係合突部が前記カード状体の側縁部に形成された係合凹部と互いに係合し、前記カード状体の抜け出し方向の移動を規制するようにし、前記係合突部の挿抜方向奥側縁部は、前記係合凹部内に嵌合した状態において、前記係合凹部内側縁と互いに平行且つ挿抜方向と直交する向きに向けて形成された請求項１に記載の取出し機構付きカードコネクタ。
【請求項３】
前記動作手段は、前記操作用ロッドの前記挿抜方向手前側に外側に向けて傾斜した誘導テーパ部を備え、該誘導テーパに誘導させて操作用ピンを前記操作用ロッドのコネクタ幅方向内側に挿入できるようにした請求項２に記載の取出し機構付きカードコネクタ。
【請求項４】
前記操作用ロッドは、前記ハウジングの底版部に前記挿抜方向に向けて形成されたスライド用溝に挿入される回動軸を備え、該回動軸を基軸としてコネクタ幅方向に回動できるようにした請求項１、２又は３に記載の取出し機構付きコネクタ。
【請求項５】
前記取出し手段は、前記ハウジングの挿抜方向奥側部に枢支された回動レバーを備え、前記操作用ロッドを挿抜方向奥側に移動させることにより前記回動レバーを回動させ、前記回動レバーのロッドとは反対側の端部により前記カード状体を抜き出し方向に押し出すようにした請求項１〜３又は４に記載の取出し機構付きカードコネクタ。
【請求項６】
前記カード状体は、前記ハウジングの挿抜方向手前側に配置される前縁露出部を有し、該前縁露出部には、前記操作用ロッドを操作するための操作用ピンを挿入するための挿入孔が形成され、且つ前記挿入孔内には、中央部に貫通孔を有するゴム材等の弾性部材からなる防水・防滴用材を設け、前記操作用ピン未挿入時には、前記貫通孔が弾性により閉鎖され、操作用ピン挿入時には、前記貫通孔を操作用ピンの外周面により拡径方向に押し広げられるようにしたこと請求項１〜４又は５に記載の取出し機構付きカードコネクタ。
【発明の詳細な説明】
【技術分野】
【０００１】
本発明は、ＩＣカード等のカードを基板に接続するためのカードコネクタであって、カードを簡単な操作で取り出すことができるとともにそれに伴うカードの挿抜状態を検知することができる取出し機構付きカードコネクタに関する。
【背景技術】
【０００２】
従来、この種の取出し機構付きカードコネクタにおいては、カードを収容したカードトレイ等のカード状体がプッシュピンを操作することでハウジングより取り出すことができるもの（例えば、特許文献１）や、所謂プッシュイン・プッシュアウト方式によりカード状体をハウジングより取出すことができるもの（例えば、特許文献２）等が知られている。
【０００３】
一方、この種のカードコネクタにおいては、カード状体の挿抜方向の移動に連動して切り替えられるスイッチをもってカード状体の挿抜状態を検知する検知用手段を備えたものが知られており（例えば、特許文献３）、この検知用手段は、カードの信号伝達端子に対する信号伝達用コンタクトの活線・非活線状態の切り替え制御等に使用されている。
【０００４】
この検知手段は、例えば、図１１に示すように、カード挿入部１００の奥側にコネクタ幅方向に向けて配置した操作側スイッチコンタクト１０１と、操作側スイッチコンタクト１０１のカード状体挿入方向奥側及び手前側にそれぞれ配置した被操作側スイッチコンタクト１０２，１０３とから構成され、操作側スイッチコンタクト１０１がカード又はカードを収容したカードトレイからなるカード状体１０４の挿抜方向の移動に連動して動作し、各被操作側スイッチコンタクト１０２，１０３に対し接触又は離反、即ちスイッチの切り替えがなされ、このスイッチの切り替え動作によりカード状体１０４の挿抜状態を段階的に検知できるようになっている。
【０００５】
即ち、この検知用手段は、図１１（ａ）に示す操作側スイッチコンタクト１０１が被操作側スイッチコンタクト１０２とのみ接触した状態（初期状態）、図１１（ｂ）に示すカード状体１０４と接触しつつ操作側スイッチコンタクト１０１が両被操作側スイッチコンタクト１０２，１０３より離脱した状態（第1の検知状態）及び図１１（ｃ）に示すカード状体１０４に押し込まれて操作側スイッチコンタクト１０１が被操作側スイッチコンタクト１０３と接触した状態（第２の検知状態）を検知することができる。
【０００６】
尚、このスイッチの切り替えにおける時間（タイミング）は、スイッチの切り替えがカード状体１０４の挿抜方向の移動に連動して行われるため、両被操作側スイッチコンタクト１０２，１０３間の距離及びカード状体１０４の挿抜速さによって決まる。
【先行技術文献】
【特許文献】
【０００７】
【特許文献１】特開平１０−１８９１３９号公報
【特許文献２】特開２０００−２５１０２５号公報
【特許文献３】特開２００４−２３５１６０号公報
【発明の概要】
【発明が解決しようとする課題】
【０００８】
しかしながら、上述の如き従来の技術では、スイッチ切り替えにおける時間（タイミング）が短いと、スイッチの切り替えがなされたことが正確に検知されないおそれ、例えば、上述の第１の検知状態から第２の検知状態に至る動作においては、第１の検知状態から第２の検知状態への切り替えのタイミング、即ち操作側スイッチコンタクト１０１が被操作側スイッチコンタクト１０２から離反してから被操作側スイッチコンタクト１０３と接触するまでの時間が短いと第１の検知状態が検知できず、初期状態から第２の検知状態に直接切り替えられたと誤って検知されるおそれがある。
【０００９】
そのため、このようなカードコネクタにおいては、スイッチの切り替えタイミングに十分な余裕を持たせるか、或いは上述の如き問題を考慮した上で論理回路により処理する必要があるところ、論理回路により対応するためには複雑な回路に頼らざるを得ず、その分のコストが嵩むという問題があった。
【００１０】
一方、スイッチの切り替えタイミングに十分な余裕を持たせるには、挿抜速さがカード状体の挿抜操作を行う者の力具合等によって変化する不安定なパラメータであることから、被操作側スイッチコンタクト間の距離を大きくとるしかなく、そのためコネクタ全体の大型化につながるという問題があった。
【００１１】
さらに、カード状体をコネクタ（コネクタが取り付けられた機器）に対して活線挿抜する際、カードの信号伝達端子とコネクタの信号伝達用コンタクトとの間の活線・非活線の切り替えは上記検知用手段より得られる検知信号に基づいて行われところ、検知スイッチはカードの挿抜方向の移動に連動して動作するため、検知スイッチが動作する際、信号伝達用コンタクトに対する信号伝達用端子の位置も変化する。
【００１２】
したがって、検知スイッチの動作が信号伝達用コンタクトのカードの信号伝達用端子に対する離脱タイミングより少しでも遅れると、カードと接続基板とが未だ活線状態にあるにも関わらず、カードが取出されてしまい、カードに記憶された情報が消えてしまう等の障害が生じる虞がある。
【００１３】
そこで本発明は、このような従来の問題に鑑み、簡易な構造で十分なスイッチの切り替えタイミングを確保でき、安価且つ小型化が可能な取出し機構付きカードコネクタの提供を目的としてなされたものである。
【課題を解決するための手段】
【００１４】
上述の如き従来の問題を解決し、所期の目的を達成するための請求項1に記載の発明の特徴は、カード状体が挿入されるカード状体挿入部が前面に開口されたハウジングと、前記カード状体挿入部の側部に前記カード状体の挿抜方向に向けて配置され且つ該挿抜方向に移動可能な操作用ロッドと、該操作用ロッドの前記挿抜方向の移動に連動して前記カード状体を抜け出し方向に押し出すカード取出し手段とを備えるとともに、操作側スイッチコンタクト及び被操作側スイッチコンタクトからなる検知スイッチを有し、前記操作側スイッチコンタクトと被操作側スイッチコンタクトとが互いに接触又は離反することにより前記カード状体の挿抜状態を検知する挿抜検知手段を備えた取出し機構付きカードコネクタにおいて、前記操作用ロッドをコネクタ幅方向に向けて移動可能にするとともに前記操作用ロッドを前記コネクタ幅方向外側に向けて動作させる動作手段を備え、前記挿抜検知手段は、前記カード状体の挿抜方向の移動に連動して挿抜方向用操作側スイッチコンタクトが挿抜方向用被操作側スイッチコンタクトに対し接触又は離反する挿抜方向用検知スイッチと、前記操作用ロッドのコネクタ幅方向外側部に配置された幅方向用検知スイッチとを備え、前記幅方向用検知スイッチは、前記操作用ロッドのコネクタ幅方向外側に向けた移動により押されて幅方向用操作側スイッチコンタクトが幅方向用被操作側スイッチコンタクトに対し接触又は離反するようにしたことにある。
【００１５】
請求項２に記載の発明の特徴は、請求項１の構成に加え、前記操作用ロッドは、剛体であって、且つコネクタ幅方向内側に突出した係合突部を有し、該係合突部が前記カード状体の側縁部に形成された係合凹部と互いに係合し、前記カード状体の抜け出し方向の移動を規制するようにし、前記係合突部の挿抜方向奥側縁部は、前記係合凹部内に嵌合した状態において、前記係合凹部内側縁と互いに平行且つ挿抜方向と直交する向きに向けて形成されたことにある。
【００１６】
請求項３に記載の発明の特徴は、請求項１又は２の構成に加え、前記動作手段は、前記操作用ロッドの前記挿抜方向手前側に外側に向けて傾斜した誘導テーパ部を備え、該誘導テーパに誘導させて操作用ピンを前記操作用ロッドのコネクタ幅方向内側に挿入できるようにしたことにある。
【００１７】
請求項４に記載の発明の特徴は、請求項１、２又は３の構成に加え、前記操作用ロッドは、前記ハウジングの底版部に前記挿抜方向に向けて形成されたスライド用溝に挿入される回動軸を備え、該回動軸を基軸としてコネクタ幅方向に回動できるようにしたことにある。
【００１８】
請求項５に記載の発明の特徴は、請求項１〜３又は４の構成に加え、前記取出し手段は、前記ハウジングの挿抜方向奥側部に枢支された回動レバーを備え、前記操作用ロッドを挿抜方向奥側に移動させることにより前記回動レバーを回動させ、前記回動レバーのロッドとは反対側の端部により前記カード状体を抜き出し方向に押し出すようにしたことにある。
【００１９】
請求項６に記載の発明の特徴は、請求項１〜４又は５の構成に加え、前記カード状体は、前記ハウジングの挿抜方向手前側に配置される前縁露出部を有し、該前縁露出部には、前記操作用ロッドを操作するための操作用ピンを挿入するための挿入孔が形成され、且つ前記挿入孔内には、中央部に貫通孔を有するゴム材等の弾性部材からなる防水・防滴用材を設け、前記操作用ピン未挿入時には、前記貫通孔が弾性により閉鎖され、操作用ピン挿入時には、前記貫通孔を操作用ピンの外周面により拡径方向に押し広げられるようにしたことにある。
【発明の効果】
【００２０】
本発明に係る取出し機構付きカードコネクタは、上述したように、カード状体が挿入されるカード状体挿入部が前面に開口されたハウジングと、前記カード状体挿入部の側部に前記カード状体の挿抜方向に向けて配置され且つ該挿抜方向に移動可能な操作用ロッドと、該操作用ロッドの前記挿抜方向の移動に連動して前記カード状体を抜け出し方向に押し出すカード取出し手段とを備えるとともに、操作側スイッチコンタクト及び被操作側スイッチコンタクトからなる検知スイッチを有し、前記操作側スイッチコンタクトと被操作側スイッチコンタクトとが互いに接触又は離反することにより前記カード状体の挿抜状態を検知する挿抜検知手段を備えた取出し機構付きカードコネクタにおいて、前記操作用ロッドをコネクタ幅方向に向けて移動可能にするとともに前記操作用ロッドを前記コネクタ幅方向外側に向けて動作させる動作手段を備え、前記挿抜検知手段は、前記カード状体の挿抜方向の移動に連動して挿抜方向用操作側スイッチコンタクトが挿抜方向用被操作側スイッチコンタクトに対し接触又は離反する挿抜方向用検知スイッチと、前記操作用ロッドのコネクタ幅方向外側部に配置された幅方向用検知スイッチとを備え、前記幅方向用検知スイッチは、前記操作用ロッドのコネクタ幅方向外側に向けた移動により押されて幅方向用操作側スイッチコンタクトが幅方向用被操作側スイッチコンタクトに対し接触又は離反するようにしたことにより、簡易な構造でカード状体の挿抜方向を検知する検知スイッチの切り替えタイミングに余裕を持たせることができ、挿抜方向用検知スイッチと幅方向用検知スイッチとを併用して複雑な論理回路を用いずとも活線挿抜制御等に対応することができる。
【００２１】
また、本発明において、前記操作用ロッドは、剛体であって、且つコネクタ幅方向内側に突出した係合突部を有し、該係合突部が前記カード状体の側縁部に形成された係合凹部と互いに係合し、前記カード状体の抜け出し方向の移動を規制するようにし、前記係合突部の挿抜方向奥側縁部は、前記係合凹部内に嵌合した状態において、前記係合凹部内側縁と互いに平行且つ挿抜方向と直交する向きに向けて形成されたことにより、カード状体の無理抜きや落下衝撃等の衝撃によるカード状体の抜け出しを防止することができる。
【００２２】
更に本発明において、前記動作手段は、前記操作用ロッドの前記挿抜方向手前側に外側に向けて傾斜した誘導テーパ部を備え、該誘導テーパに誘導させて操作用ピンを前記操作用ロッドのコネクタ幅方向内側に挿入できるようにしたことにより、操作用ロッドを好適にコネクタ幅方向に動作させることができる。
【００２３】
更にまた本発明において、前記操作用ロッドは、前記ハウジングの底版部に前記挿抜方向に向けて形成されたスライド用溝に挿入される回動軸を備え、該回動軸を基軸としてコネクタ幅方向に回動できるようにしたことにより、操作用ロッドをコネクタ幅方向に移動させ、幅方向用検知スイッチの切り替えを行うことができる。
【００２４】
また本発明において、前記取出し手段は、前記ハウジングの挿抜方向奥側部に枢支された回動レバーを備え、前記操作用ロッドを挿抜方向奥側に移動させることにより前記回動レバーを回動させ、前記回動レバーのロッドとは反対側の端部により前記カード状体を抜き出し方向に押し出すようにしたことにより、操作用ロッドの挿抜方向の移動を効率よく利用しカード状体を取り出すことができる。
【００２５】
更に本発明において、前記カード状体は、前記ハウジングの挿抜方向手前側に配置される前縁露出部を有し、該前縁露出部には、前記操作用ロッドを操作するための操作用ピンを挿入するための挿入孔が形成され、且つ前記挿入孔内には、中央部に貫通孔を有するゴム材等の弾性部材からなる防水・防滴用材を設け、前記操作用ピン未挿入時には、前記貫通孔が弾性により閉鎖され、操作用ピン挿入時には、前記貫通孔を操作用ピンの外周面により拡径方向に押し広げられるようにしたことにより、コネクタを取り付けた機器に対する水滴等の侵入を防止することができる。
【図面の簡単な説明】
【００２６】
【図１】本発明に係る取出し機構付きカードコネクタの一例を示す平面図である。
【図２】同上の縦断面図である。
【図３】同上の分解斜視図である。
【図４】（ａ）は図１中のカードトレイの一例を示す平面図、（ｂ）は同底面図、（ｃ）は同Ａ−Ａ線断面図である。
【図５】図３中の操作用ロッドの一例を示す斜視図である。
【図６】図１中のハウジング側部を示すシールドカバーを取り外した状態の部分拡大平面図である。
【図７】同上のハウジング奥部を示すシールドカバーを取り外した状態の部分拡大平面図である。
【図８】（ａ）〜（ｄ）は本発明に係る取付け機構付きカードコネクタのカード状体挿入手順を示すシールドカバーを取り外した状態の平面図である。
【図９】（ａ）〜（ｄ）は同上のカード状体取出し手順を示すシールドカバーを取り外した状態の平面図である。
【図１０】本発明に係る取出し機構付きカードコネクタの他の実施例を示すールドカバーを取り外した状態の平面図である。
【図１１】（ａ）〜（ｃ）は従来のコネクタの検知スイッチ部分を示す部分拡大平面図
【発明を実施するための形態】
【００２７】
次に、本発明に係る取出し機構付きカードＡコネクタの実施の態様を図１〜図９に示した実施例に基づいて説明する。尚、図中符号ＡはＩＣカード等のカードである。
【００２８】
このカードコネクタは、カードＡを収容したカードトレイ１からなるカード状体をハウジング２に挿入することにより、カードＡの片面に配置された信号伝達端子３，３...がハウジング２内に支持された信号伝達用のコンタクト４，４...と弾性的に接触し、コンタクト４，４...を介してカードＡをハウジング２が設置された基板に電気的に接続させるようになっている。
【００２９】
カードトレイ１は、図４に示すように、片面側にカードＡが収容されるカード収容凹部５を有する平板状の本体部６と、本体部６の出し入れ方向手前側に配置された前縁露出部７とを有して絶縁性樹脂材により一体形成されている。
【００３０】
尚、本明細書においては、「前」はカードトレイ１の挿抜方向手前側をいい、「後」は出し入れ方向奥側をいうものとする。
【００３１】
本体部６は、矩形状に形成され、その一方の側縁部に後述する係合突部８が嵌り込み、該係合突部８と互いに係合する係合凹部９が形成されている。
【００３２】
この係合凹部９は、外側に開口した四角形状に形成され、その挿抜方向奥側内縁９ａは、カードトレイ１の挿抜方向に対し直交方向に向けて形成されている。
【００３３】
前縁露出部７は、カードコネクタが電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号１０は、後述する操作用ピン１１をハウジング２内に挿入するための挿入孔である。
【００３４】
この挿入孔１０内には、ゴム材等の弾性部材からなる防水・防滴用材１２が挿入孔１０を閉鎖するように設けられ、通常時、その弾性により中央部の貫通孔１２ａを閉鎖して水滴等のコネクタ内への侵入を防止する一方、操作用ピン１１挿入時には、操作用ピン１１の外周面により貫通孔１２ａを拡径方向に押し広げることにより操作用ピン１１を挿入孔１０に通すことができるようになっている。
【００３５】
ハウジング２は、絶縁樹脂材からなるモールドケース１３と、シールドカバー１４とを組み込んで形成され、カードトレイ１が挿入されるカード状体挿入部１５が前面に開口して形成されている。
【００３６】
カード状体挿入部１５は、モールドケース１３の内底面よりコネクタの厚み方向上側に向けて立ち上げた形状のガイド壁１６，１７間に形成され、カードトレイ１は、この両ガイド壁１６，１７に両側縁をガイドさせて挿入されるようになっている。尚、図中符号１８は、後述する操作用ロッド２０が挿抜方向及びコネクタ幅方向で移動可能に収容されるロッド収容部である。
【００３７】
このガイド壁１６の外側部、即ちロッド収容部１８内には、カードトレイ１の挿抜方向に向けた操作用ロッド２０が配置され、この操作用ロッド２０の挿抜方向の移動に連動してカード取出し手段によりカードトレイ１を抜け出し方向に押し出すようになっている。
【００３８】
この操作用ロッド２０は、図５に示すように、金属材により細長板状に形成された剛体であって、一定の厚みを有してその厚み方向、即ちコネクタ幅方向に撓み難くなっている。
【００３９】
また、この操作用ロッド２０は、板長さ方向の一方の端部に板幅方向に向けた回動軸２１を備え、この回動軸２１をハウジング２に回転可能且つカードトレイ１の挿抜方向にスライド可能に枢支させたことにより、操作用ロッド２０全体が回動軸２１を中心としてコネクタ幅方向に回動可能且つカードトレイ挿抜方向に移動可能になっている。
【００４０】
この回動軸２１の両端部は、モールドケース１３の底板部及びシールドカバー１４に互いに対向配置にカードトレイ１の挿抜方向に向けて形成されたスライド溝２２，２２に挿入され、回動軸２１をスライド溝２２，２２にガイドさせたことにより、回動軸２１がハウジング２に回転可能且つカードトレイ１の挿抜方向にスライド可能に枢支されている。
【００４１】
また、この操作用ロッド２０には、回動軸２１より板長さ方向に一定の間隔をおいた位置に板厚方向外側に向けて突出したスライドガイド用突片２３，２３を備え、この両スライドガイド用突片２３，２３をモールドケース１３の底板部及びシールドカバー１４に互いに対向配置にそれぞれ形成されたスライド溝２４，２４に挿入させている。
【００４２】
スライド溝２４は、コネクタ幅方向に向けた横溝２４ａと、横溝２４ａのコネクタ幅方向外側より連通配置にカードトレイ１の挿抜方向に向けた縦溝２４ｂとをもってＬ字状に形成され、このスライド溝２４にスライドガイド用突片２３をガイドさせたことにより操作用ロッド２０が回動動作とスライド動作がそれぞれ独立してなされるようになっている。即ち、回動動作時には、操作用ロッド２０のカードトレイ１の挿抜方向に向けたスライド移動が規制され、一方スライド動作時には、操作用ロッド２０のコネクタ幅方向の移動が規制されるようになっている。
【００４３】
尚、図中符号２５は、操作用ロッド２０をカードトレイ側に押圧する復帰用バネであり、この復帰用バネ２５は、板バネ状に形成され、一方の端部をモールドケース１３に固定支持させ、モールドケース１３に反力をとって操作用ロッド２０をカードトレイ側に押圧するようになっている。
【００４４】
また、操作用ロッド２０には、回動軸２１の手前部に取出し手段を構成する回動レバー２６を操作するための操作溝２７が形成されており、この操作溝２７内に回動レバー２６の一方の端部２６ａが挿入されている。
【００４５】
回動レバー２６は、図７に示すように、モールドケース１３の挿抜方向奥側部に枢支軸２８を介して枢支され、操作用ピン１１で押して操作用ロッド２０をカード状体挿抜方向奥側に向けて移動させることにより操作溝２７の内縁部２７ａに押されて原位置より枢支軸２８を中心に回動し、他方の端部２６ｂがカードトレイ１の挿抜方向奥側縁を押圧してカードトレイ１を抜け出し方向に押し出すようになっている。
【００４６】
一方、操作用ロッド２０の回動軸２１とは反対側の端部には、先端側がガイド壁１６より離れる方向に傾斜した形状の誘導テーパ部２９が形成され、この誘導テーパ部２９が操作用ロッド２０をコネクタ幅方向に動作させるための動作手段として使用されている。
【００４７】
この誘導テーパ部２９は、カードトレイ１の挿入孔１０を通してハウジング２内に挿入された操作用ピン１１の先端部をガイド壁１６と操作用ロッド２０との間に誘導し、それにより操作用ロッド２０の回動軸２１とは反対側の端部が操作用ピン１１の外周部に押されてコネクタ幅方向に移動し、それにより操作用ロッド２０全体が回動軸２１を中心にコネクタ幅方向外側に向けて回動されるようになっている。
【００４８】
また、この操作用ロッド２０には、板幅方向の一方の側縁よりカード状体側に折り曲げた形状の係合突部８が形成され、この係合突部８が所定のカード状体収容位置、即ち、カードＡの信号伝達用端子３，３...とハウジング２内に露出した信号伝達用コンタクト４，４...とが接触する位置において、カードトレイ１の側縁に形成された係合凹部９に嵌り込み、カードトレイ１の挿抜方向の移動を規制するようになっている。
【００４９】
係合突部８は、矩形状に形成され、挿抜方向奥側縁部８ａが凹部９内に嵌合した状態において、凹部内側縁９ａと互いに平行且つ挿抜方向と直交する方向に向けて形成されている。
【００５０】
また、係合突部８を係合凹部９内に嵌合させた状態では、カードトレイ１を無理に抜き出そうとしても操作用ロッド２０が剛体で撓み難いので、動作手段により操作用ロッド２０をコネクタ幅方向に移動させないと係合突部８が係合凹部９より外れず、カードトレイ１が抜けないようになっている。
【００５１】
また、操作用ロッド２０が剛体で撓み難いため、コネクタが落下衝撃を受けるような場合であっても係合突部８が係合凹部９より外れないようになっている。
【００５２】
更に、この係合突部８の挿抜方向手前側縁部には、下向きに折り曲げた形状のピン押圧部３０が形成され、誘導テーパ部２９により操作用ロッド２０とガイド壁１６との間に操作用ピン１１が誘導され操作用ロッド２０が回動することにより、係合突部８が係合凹部９より離脱し、操作用ピン１１の先端がピン押圧部３０に当接するようになっている。
【００５３】
尚、図中符号３１は、操作用ロッド２０がカード状体側に移動した際に、ピン押圧部３０が差し込まれるガイド壁１６に形成された逃げ溝である。
【００５４】
一方、このカードコネクタには、挿入部１５の挿抜方向奥側に配置された挿抜方向用検知スイッチ４０と挿入部１５の側部に配置された幅方向用検知スイッチ４１とを有する検知用手段を備え、挿抜方向用検知スイッチ４０及び幅方向用検知スイッチ４１の切り替え動作による信号に基づいてカードトレイ１の挿抜状態を段階的に検知することができるようになっている。
【００５５】
尚、挿抜方向用検知スイッチ４０と幅方向用検知スイッチ４１とは、挿抜方向に十分に離れて配置されている。
【００５６】
挿抜方向用検知スイッチ４０は、挿抜方向用操作側スイッチコンタクト４２及び挿抜方向用被操作側スイッチコンタクト４３をもって構成され、カードトレイ１の挿抜方向の移動に連動して挿抜方向用操作側スイッチコンタクト４２が挿抜方向用被操作側スイッチコンタクト４３に対し接触又は離反することによりスイッチ４１の切り替えがなされるようになっている。
【００５７】
挿抜方向用操作側スイッチコンタクト４２は、弾性を有する導電性金属材を折り曲げ加工することにより一体に形成され、モールドケース１３の奥側壁部に形成された固定用溝４４に嵌め込まれたコネクタ幅方向に向けた固定部４５より前向きに傾斜した形状の弾性操作片部４６を有し、弾性操作片部４６の先端に山形状の接触部４７が形成され、その弾性操作片部４６とは反対側の後端に横向きに折り曲げた形状の操作側接点部４８が形成されている。
【００５８】
尚、図中符号４９は、固定部４５の下縁より外向きに折り曲げた形状の接続端子部であって、この接続端子部４９が電子機器の接続基板に形成された接続パターンに半田付けされることにより、挿抜方向用操作側スイッチコンタクト４２を接続基板に電気的に接続させるようになっている。
【００５９】
挿抜方向用被操作側スイッチコンタクト４３は、導電性金属材を折り曲げ加工することにより一体に形成され、モールドケース１３の底板部に埋め込まれた本体部５０より上向きに折り曲げた形状の被操作側接点部５１と、モールドケース１３の挿抜方向奥側縁より突出した接続端子部５２を有し、接続端子部５２が電子機器の接続基板に形成された接続パターンに半田付けされることにより、挿抜方向用被操作側スイッチコンタクト４３が接続基板に電気的に接続されるようになっている。
【００６０】
この挿抜方向用検知スイッチ４０は、初期状態において挿抜方向用操作側スイッチコンタクト４２の操作側接点部４８と挿抜方向用被操作側スイッチコンタクト４３の被操作側接点部５１とが接触した状態にあり、カードトレイ１が所定の押し込み位置まで挿入された際に挿抜方向用操作側スイッチコンタクト４２がカードトレイ１又はカードトレイ１に収容されたカードＡの後縁部に押されて動作し、両接点部４８，５１が離反してスイッチ４０がオフ状態となり、カード状体がハウジング２内に挿入されている間オフ状態が維持される。
【００６１】
一方、カードトレイ１が取出される際には、挿抜方向用操作側スイッチコンタクト４２が自身の弾性によりカードトレイ１の移動に連動して挿抜方向手前側に向けて動作し、所定の位置まで取出されると両接点部４８，５１が接触して初期状態に復帰する。
【００６２】
幅方向用検知スイッチ４１は、操作用ロッド２０のコネクタ幅方向外側に配置された幅方向用操作側スイッチコンタクト５５及び幅方向用被操作側スイッチコンタクト５６により構成され、操作用ロッド２０のコネクタ幅方向の移動に連動して幅方向用操作側スイッチコンタクト５５が幅方向用被操作側スイッチコンタクト５６に対し接触又は離反することによりスイッチ４１の切り替えがなされるようになっている。
【００６３】
幅方向用操作側スイッチコンタクト５５は、弾性を有する導電性金属材を折り曲げ加工することにより一体に形成され、モールドケース１３の側壁部５７に固定された挿抜方向に向けた固定部５８よりカードトレイ側に向けて傾斜した形状の弾性操作片部５９を有し、弾性操作片部５９の先端に円弧状の接触部６０を介して外向きの外延長部６１が形成され、その後端に挿抜方向手前側に折り曲げた形状の操作側接点部６２が形成されている。
【００６４】
尚、図中符号６３は接続端子部であって、この接続端子部６３が電子機器の接続基板に形成された接続パターンに半田付けされることにより、幅方向用操作側スイッチコンタクト５５を接続基板に電気的に接続させるようになっている。
【００６５】
幅方向用被操作側スイッチコンタクト５６は、導電性金属材を折り曲げ加工することにより一体に形成され、モールドケース１３の側面部に表面をコネクタ幅方向外側に向けて露出した被操作側接点部６４と、モールドケース１３の側縁部より突出した接続端子部６５とを有し、接続端子部６５が電子機器の接続基板に形成された接続パターンに半田付けされることにより、幅方向用被操作側スイッチコンタクト５６が接続基板に電気的に接続されるようになっている。
【００６６】
この幅方向用検知スイッチ４１は、操作用ロッド２０の係合突部８がカードトレイ１の係合凹部９内に嵌り込む位置において幅方向用操作側スイッチコンタクト５５と操作用ロッド２０とは非接触状態にあるとともに、スイッチコンタクトの両接点部６２，６４が接触した状態にある。
【００６７】
一方、操作用ロッド２０が回動軸２１を中心に回動してコネクタ幅方向外側に移動した状態では、操作用ロッド２０に押されて幅方向用操作側スイッチコンタクト５５が動作して両接点部６２，６４が離反するようになっている。このとき、幅方向用検知スイッチ４１の切り替えは、カードトレイ１の挿抜方向移動を伴わずに行うことができるようになっている。
【００６８】
このように構成されたカードコネクタでは、カードトレイ１が未挿入の状態において、図８（ａ）に示すように、操作用ロッド２０がコネクタ幅方向外側に回動した位置且つ挿抜方向奥側に移動した位置にあり、挿抜方向用検知スイッチ４０がオン、操作用ロッド２０に押されて幅方向用操作側スイッチコンタクト５５の操作側接点部６２が被操作側接点部６４より離反して幅方向用検知スイッチ４１がオフの状態にある（初期状態）。
【００６９】
次に、図８（ｂ）に示すように、カードトレイ１をカード状体挿入部１５内に挿入し、所定の位置まで挿入するとカードトレイ１の後縁部が回動レバー２６の端部２６ｂと接触し、更にカードトレイ１を押し込むと、カードトレイ１に押されて回動レバー２６が回動し、それに連動して操作用ロッド２０が挿抜方向手前側に向けて移動を開始する。このときはまだ、初期状態と同じく挿抜方向用検知スイッチ４０がオン、幅方向用検知スイッチ４１がオフの状態にある。
【００７０】
そして、更にカードトレイ１を押し込んで所定の位置まで到達すると、カードトレイ１又はカードトレイ１に収容されたカードＡの後縁部が挿抜方向用操作側スイッチコンタクト４２の接触部４７に当接し、挿抜方向用操作側スイッチコンタクト４２を押すことにより挿抜方向用操作側スイッチコンタクト４２が挿抜方向奥側に向けて動作し、それにより両接点部４８，５１が離反して挿抜方向用検知スイッチ４０がオフ状態となる（第１の検知ポイント）。
【００７１】
次に、カードトレイ１を所定の収納位置、即ち、カードＡの信号伝達端子３とカード状体挿入部１５内に露出した信号伝達用コンタクト４が接触する位置まで挿入すると、図８（ｃ）に示すように、回動レバー２６に押されて操作用ロッド２０がスライドガイド用突片２３が縦溝２４ｂと横溝２４ａとが交差する位置まで移動し、復帰用バネ２５及び幅方向用操作側スイッチコンタクト５５に押圧されて操作用ロッド２０が回動軸２１を基軸としてコネクタ幅方向内側（カードトレイ１側）に向けて回動し、図８（ｄ）に示すように、係合突片８がカードトレイ１の係合凹部９内に嵌り込むとともに、幅方向用操作側スイッチコンタクト５５が自身の弾性によりコネクタ幅方向内側に向けて動作し、両接点部６２，６４が接触して幅方向用検知スイッチ４１がオン状態となる（第２の検知ポイント）。
【００７２】
この第１の検知ポイントから第２の検知ポイントに切り替わるまでの時間、即ち切り替えタイミングは、カードトレイ１の後縁が被操作側スイッチコンタクトに接触してから所定の収納位置まで移動するまでの時間と、操作用ロッド２０が回動している時間（スライドガイド用突片２３が横溝２４ａの端から端まで移動する時間）の合計であるので、確実に検知が可能な時間を確保することができる。
【００７３】
また、操作用ロッド２０のコネクタ幅方向内側に向けた回動は、カードトレイ１の挿抜方向移動に連動するものではなく、その時間は横溝２４ａ長さ及び復帰バネ２５による付勢力にのみ依存するので安定している。
【００７４】
一方、このカードコネクタよりカードトレイ１を取り出すには、図９（ａ）に示す第２の検知ポイントにおいて、まず、挿入孔１０より操作用ピン１１を挿入すると、操作用ピン１１の先端部が誘導テーパ部２９と接触する。このとき、スライドガイド用突片２３は横溝２４ａ内に挿入された状態にあり、操作用ロッド２０の挿抜方向の移動が規制された状態にあるので、操作用ピン１１を押し込むことによる押圧力が誘導テーパ部２９に対してコネクタ幅方向外向きに作用し、操作用ロッド２０が回動軸２１を中心にコネクタ幅方向外側に向けて回動させる。
【００７５】
そして、図９（ｂ）に示すように、操作用ロッド２０が回動することにより操作用ロッド２０の外側表面が幅方向用操作側スイッチコンタクト５５の接触部６０と接触し、幅方向用操作側スイッチコンタクト５５をコネクタ幅方向外側に向けて押し込み、それにより両接点部６２，６４が離反し、幅方向用検知スイッチ４１がオフの状態となる（第１の検知ポイント）。
【００７６】
このとき、カードトレイ１の挿抜方向の移動を伴わずに幅方向用検知スイッチ４１を切り替えることができ、その信号に基づいて活線挿抜の制御を行えば、活線・非活線の切り替えタイミングが信号伝達用コンタクト４より信号伝達用端子３が離脱するタイミングより遅くなるようなことがない。
【００７７】
更に操作用ピン１１を押し込むことにより誘導テーパ部２９に誘導されて操作用ピン１１の先端部が操作用ロッド２０とガイド壁１６との間に挿入され、係合凹部９より離脱したロッド押圧部３０に当接するとともに、スライドガイド用突片２３が横溝２４ａの外側端まで移動し、操作用ロッド２０が挿抜方向に移動可能な状態となる。
【００７８】
そして、操作用ピン１１を更に押し込むことにより回動軸２１をスライド溝２２に、スライドガイド用突片２３を縦溝２４ｂにそれぞれガイドさせつつ操作用ロッド２０が挿抜方向奥側に向けてスライドし、それに伴い回動レバー２６の一方の端部２６ａが挿抜方向奥側に向けて押されて回動レバー２６が枢支軸２８を中心に回動し、他方の端部２６ｂがカードトレイ１の後縁部を抜け出し方向に向けて押圧する。
【００７９】
この回動レバー２６によるカードトレイ１の抜き出し方向の移動に連動して、挿抜方向用操作側スイッチコンタクト４２が自身の弾性により抜き出し方向に向けて動作し、所定の位置まで動作すると両接点部４８，５１が接触し、挿抜方向用検知スイッチ４０がオンとなり、初期状態に復帰する。
【００８０】
尚、上述の実施例に代えて、図示しない復帰バネ等の付勢手段により操作用ロッド２０をカードトレイ１の挿抜方向手前側に向けて付勢するようにし、初期状態を図１０に示す状態、即ち挿抜方向用検知スイッチ４０及び幅方向用検知スイッチ４１をともにオンの状態としておいてもよい。
【００８１】
この場合、カードトレイ１を挿入した際にカードトレイ１の後縁部に形成された傾斜部に係合突部８が押されることにより操作用ロッド２０がコネクタ幅方向外側に向けて回動し、それに連動して幅方向用検知スイッチ４１がオフ状態となり、図８（ｂ）の状態に移行するようになっている。
【００８２】
また、カードトレイ１を取り出す際には、図９（ｃ）の状態より、操作用ピン１１及びカードトレイ１をハウジング２より抜き出すことにより、上記の付勢手段及び復帰バネ２５により付勢されて操作用ロッド２０が図１０に示す初期位置に復帰するようになっている。
【００８３】
また、上述の実施例では、取出し手段として回動レバーを使用した例について説明したが、取出し手段は上記実施例に限定されるものではなく、例えば、カード状部材と共にハウジング内を出し入れ方向に移動可能なスライダーと、スライダーを押し出し方向に付勢する復帰バネと、所定の収納位置でスライダーの移動を規制するロック機構とを備え、操作用ロッドを挿抜方向に移動させることによりスライダーの規制が解除され、スライダーがカード状部材を抜け出し方向に押し出すようにしたもの等であってもよい。
【００８４】
また、上述の実施例では、カード状体として内部にカードを収容するカードトレイを用いた例について説明したが、トレイを用いずにカードを直接コネクタに挿入するようにしたものであってもよい。
【符号の説明】
【００８５】
Ａ  カード
１  カード状体（カードトレイ）
２  ハウジング
３  信号伝達端子
４  信号伝達用コンタクト
５  カード収容凹部
６  本体部
７  前縁露出部
８  係合突部
９  係合凹部
１０  挿入孔
１１  操作用ピン
１２  防水・防滴用材
１３  モールドケース
１４  シールドカバー
１５  カード状体挿入部
１６、１７  ガイド壁
２０  操作用ロッド
２１  回動軸
２２  スライド溝
２３  スライドガイド用突片
２４  スライド溝
２５  復帰バネ
２６  回動レバー
２７  操作溝
２８  枢支軸
２９  誘導テーパ部
３０  ピン押圧部
４０  挿抜方向用検知スイッチ
４１  幅方向用検知スイッチ
４２  挿抜方向用操作側スイッチコンタクト
４３  挿抜方向用被操作側スイッチコンタクト
４４  固定用溝
４５  固定部
４６  弾性操作片部
４７  接触部
４８  操作側接点部
４９  接続端子部
５０  本体部
５１  被操作側接点部
５２  接続端子部
５５  幅方向用操作側スイッチコンタクト
５６  幅方向用被操作側スイッチコンタクト
５７  側壁部
５８  固定部
５９  弾性操作片部
６０  接触部
６１  外延長部
６２  操作側接点部
６３  接続端子部
６４  本体部
６４  被操作側接点部
６６  接続端子部
【図１】
2012234669.tif 000003
【図２】
2012234669.tif 000004
【図３】
2012234669.tif 000005
【図４】
2012234669.tif 000006
【図５】
2012234669.tif 000007
【図６】
2012234669.tif 000008
【図７】
2012234669.tif 000009
【図８】
2012234669.tif 000010
【図９】
2012234669.tif 000011
【図１０】
2012234669.tif 000012
【図１１】
2012234669.tif 000013